(57)【特許請求の範囲】
【請求項１】
夫々金属板製の内容器と外ケースとからなる二重壁構造の容器本体を有し、この容器本体の内容器と外ケースとの間に密閉空間部を形成すると共に、この密閉空間部のほぼ全域にわたり補強リブを介在させて、この密閉空間部を真空状態とし、前記補強リブは、夫々帯板状に形成した多数のリブ材を縦横に格子組みしたものからなり、さらに前記帯板状リブ材は金属板によって形成されたもので、この帯板状リブ材が当接する内容器又は内蓋部の内面及び外ケース又は外ケース部の内面に夫々断熱シートを貼着してなる液体貯蔵容器。
【請求項２】
前記容器本体の上部に、内容器の上壁部から延出した内筒部と、外ケースの上壁部から延出した外筒部とからなる二重壁構造の大口開口部を形成し、この大口開口部を開閉する蓋体を内蓋部と外ケース部との二重壁構造にして、内蓋部と外ケース部との間に密閉空間部を形成すると共に、この密閉空間部内に補強リブを介在させて、この密閉空間部を真空状態としてなる請求項１に記載の液体貯蔵容器。
【請求項３】
前記大口開口部の外筒部をテーパ状に形成すると共に、前記蓋体の内蓋部には大口開口部の外筒部のテーパに対応するテーパ嵌合部を形成してなる請求項２に記載の液体貯蔵容器。
【請求項４】
前記縦横の各帯板状リブ材は、その片側縁部に、縦横の帯板状リブ材が互いに交差するように係合するための切欠スリットをリブ材長手方向に一定ピッチで切り込み形成すると共に、その両側縁部に、夫々連通用凹欠部をリブ材長手方向一定間隔おきに形成したものからなる請求項１〜３の何れかに記載の液体貯蔵容器。
【発明の詳細な説明】
【０００１】
【発明の属する技術分野】
本発明は、温水（熱湯）や冷水などを貯蔵する断熱式の液体貯蔵容器に関するもので、保温、保冷容器として使用される。
【０００２】
【従来の技術及びその課題】
従来における断熱式の液体貯蔵容器として、容器の外周部を断熱材で覆っただけの簡単な構造のものがあるが、これでは十分な保温・保冷効果が得られない。また、家庭用、携帯用の断熱容器として、ガラス製、プラスチック製、あるいは金属製の二重壁構造の中瓶を備え、その内部を真空にした所謂魔法瓶が知られているが、その中瓶の二重壁構造が強度的に弱いため、真空度を十分に上げることができず、断熱性能があまり良くなく、また中瓶の構造からして、容量が例えば５００〜１０００リットルあるいはそれ以上の大型容器には適用できない。
【０００３】
本発明は、断熱性能がきわめて良好で、十分な保温・保冷効果が得られる上、家庭用のみならず、業務用の大型容器にも適用可能な液体貯蔵容器を提供することを目的とする。
【０００４】
【課題を解決するための手段】
請求項１に係る発明は、夫々金属板製の内容器１と外ケース２とからなる二重壁構造の容器本体３を有し、この容器本体３の内容器１と外ケース２との間に密閉空間部４を形成すると共に、この密閉空間部４のほぼ全域にわたり補強リブ５を介在させて、この密閉空間部４を真空状態とし、前記補強リブ５は、夫々帯板状に形成した多数のリブ材１８を縦横に格子組みしたものからなり、さらに前記帯板状リブ材は金属板によって形成されたもので、この帯板状リブ材が当接する内容器又は内蓋部の内面及び外ケース又は外ケース部の内面に夫々断熱シートを貼着してなることを特徴とする。
【０００５】
請求項２は、請求項１に記載の液体貯蔵容器において、前記容器本体３の上部に、内容器１の上壁部１ｂから延出した内筒部１ｂｏと、外ケース２の上壁部２ｂから延出した外筒部２ｂｏとからなる二重壁構造の大口開口部６を形成し、この大口開口部６を開閉する蓋体１２を内蓋部１３と外ケース部１４との二重壁構造にして、内蓋部１３と外ケース部１４との間に密閉空間部１５を形成すると共に、この密閉空間部１５内に補強リブ５を介在させて、この密閉空間部１５を真空状態としてなることを特徴とする。
【０００６】
請求項３は、請求項２に記載の液体貯蔵容器において、前記大口開口部６の外筒部２ｂｏをテーパ状に形成すると共に、前記蓋体１２の内蓋部１３には大口開口部６の外筒部外筒部２ｂｏのテーパに対応するテーパ嵌合部１６を形成してなることを特徴とする。
【０００８】
請求項４は、請求項１〜３の何れかに記載の液体貯蔵容器において、前記縦横の各帯板状リブ材１８は、その片側縁部に、縦横の帯板状リブ材１８が互いに交差するように係合するための切欠スリット１９をリブ材長手方向に一定ピッチで切り込み形成すると共に、その両側縁部に、夫々連通用凹欠部２０をリブ材長手方向一定間隔おきに形成したものからなることを特徴とする。
【００１０】
【発明の実施の形態】
図１は本発明に係る液体貯蔵容器の外観斜視図であり、図２は液体貯蔵容器の容器本体３の縦断面図である。また図３は容器本体３の平面図であり、図４は容器本体に蓋体１２を装着した状態の部分縦断面図である。この液体貯蔵容器は、図２に示すように、夫々金属板製の内容器１と外ケース２とからなる二重壁構造の容器本体３を有する。この容器本体３の内容器１と外ケース２との間に密閉空間部４が形成され、この密閉空間部４に内容器１と外ケース２との間には補強リブ５が介設されており、そしてこの密閉空間部４は、真空ポンプにより真空引きされて、例えば−２ＭＰａ（−２０kg / cm2Ｇ）程度の真空状態とされる。
【００１１】
容器本体３の内容器１及び外ケース２は、夫々厚さが例えば２ｍｍのステンレス板により形成されたもので、内容器１は、周側壁部１ａと上壁部１ｂと底壁部１ｃとによって、容積が例えば１００リットル程度の箱状に形成され、外ケース２は、周側壁部２ａと上壁部２ｂと底壁部２ｃとにより、内容器１を被包して、この内容器１の周側壁部１ａ、上壁部１ｂ及び底壁部１ｃとの間に２〜３ｃｍ程度の間隔をおいて前記密閉空間部４を形成する箱状に形成されている。
【００１２】
容器本体３の上部中央には大口開口部６が設けられ、また容器本体３の側部には液体注入口７が、下部には液体取出口８が夫々設けられ、また大口開口部６の周辺所要部には密閉空間部４を真空引きする真空ポンプの吸引ホース接続バルブ９が設けられている。液体注入口７は、図示は省略するが、通常は閉栓によって閉塞され、必要によって液体注入管が接続される。また図示は省略するが、液体取出口８には液体取出用のコックが取り付けられる。尚、図２において、２２は容器本体３の底部の複数箇所に取り付けられた脚部材を示す。
【００１３】
容器本体３の上部に設けられた大口開口部６は、内容器１の上壁部１ｂから一体又は一体的に延出された内筒部１ｂｏと、外ケース２の上壁部２ｂから一体又は一体的に延出された外筒部２ｂｏとの二重壁構造からなるものであって、外筒部２ｂｏは、図２に示すようにテーパ状に形成され、その上端部は内筒部１ｂｏの上端部に溶接によって固着されている。このように、大口開口部６の外筒部２ｂｏをテーパ状に形成してその上端部を内筒部１ｂｏの上端部に固着することにより、大口開口部６の小口付近まで二重壁構造に形成して真空状態とすることができる。
【００１４】
液体注入口７は、内端部が内容器１の周側壁部１ａにつながれた金属製の注入用円筒部材１０と、外ケース２の周側壁部２ａから一体又とは一体的に延出されたテーパ状外筒部２ａｏとの二重壁構造からなり、また液体注出口８は、上端部が内容器１の下壁部１ｃに一体又は一体的につながれた金属製の注出用円筒部材１１と、外ケース２の下壁部２ｃから一体又は一体的に延出されたテーパ状外筒部２ｃｏとの二重壁構造からなる。この場合も、液体注入口７の外筒部２ａｏ及び液体注出口８の外筒部２ｃｏを夫々テーパに形成しているから、液体注入口７及び液体注出口８の夫々小口付近まで二重壁構造に形成して真空状態とすることができる。
【００１５】
容器本体３の大口開口部６を開閉する蓋体１２は、夫々厚さが容器本体３と同じ２ｍｍのステンレス板により形成された内蓋部１３と外ケース部１４との二重壁構造からなるもので、内蓋部１３と外ケース部１４との間に密閉空間部１５が形成され、この密閉空間部１５内には、容器本体３の密閉空間部４に介設されたものと同じ補強リブ５が介設され、そしてこの密閉空間部１５も容器本体３と同様に真空ポンプで真空引きされて、−２ＭＰａ（−２０kg / cm2Ｇ）程度の真空状態とされる。
【００１６】
また、蓋体１２の内蓋部１３には、大口開口部６のテーパ状外筒部２ｂｏに対応するテーパ嵌合部１６が形成され、このテーパ嵌合部１６によって蓋体１２の内蓋部１３が容器本体３の大口開口部６に密着して嵌合するようになっている。また蓋体１２は、その自重によって容器本体３の大口開口部６に密着嵌合するようになっている。蓋体１２の外ケース部１４には、容器本体３側と同様に密閉空間部１５を真空引きする真空ポンプの吸引ホース接続バルブ９が設けてある。また蓋体１２の外ケース部１４には一対の把手１７，１７が取り付けてある。
【００１７】
容器本体３の密閉空間部４及び蓋体１２の密閉空間部１５に夫々介在される補強リブ５は、容器本体３や蓋体１２を形成するステンレス板よりもやや薄いステンレス板により夫々帯板状に形成された多数のリブ材１８を縦横に格子組みしたものからなる。即ち、各帯板状リブ材１８は、図５の（Ａ）から分かるように、その片側縁部に、縦横の帯板状リブ材１８ａ，１８ｂが互いに交差するように係合するための切欠スリット１９をリブ材１８の長手方向に一定ピッチで且つリブ材１８の幅方向に所要長さ（リブ１８の幅の半分より僅かに長い程度）切り込み形成すると共に、当該リブ１８の両側縁部には夫々連通用凹欠部２０を、リブ材１８の長手方向に隣合う切欠スリット１９，１９の中間位置に対応する位置に形成したものからなる。
【００１８】
上記のように形成された帯板状リブ材１８を縦横の格子状に枠組するには、例えば図５の（Ａ）に示すように、縦に配列される帯板状リブ材１８ａでは切欠スリット１９が下向きとなるように配置し、横に配列する帯板状リブ材１８ｂではその切欠スリット１９が上向きとなるように配置し、同図の（Ｂ）に示すように縦横両帯板状リブ材１８ａ，１８ｂを互いに直交させて、それらの対応する切欠スリット１９，１９どうしを互いに係嵌させればよい。
【００１９】
こうして多数の縦横両帯板状リブ材１８ａ，１８ｂを格子組みして形成される補強リブ５を、容器本体３の内容器１と外ケース２との間、及び蓋体１２の内蓋部１３と外ケース部１４との間に夫々適宜に介装するわけであるが、容器本体３の内容器１と外ケース２との間への補強リブ５の介装は、外ケース２を内容器１に組み付ける前に行い、また蓋体１２への補強リブ５の介装は、内蓋部１３と外ケース部１４とを互いに組み付ける前に行なう。また、内容器１と外ケース２との間、及び内蓋部１３と外ケース部１４との間に夫々介装された各補強リブ５において、縦横の帯板状リブ材１８ａ，１８ｂによって区画形成された各小空間部は、各リブ材１８に設けられた連通用凹欠部２０によって互いに連通することになる。
【００２０】
また、上記のように補強リブ５を、容器本体３の内容器１と外ケース２との間、及び蓋体１２の内蓋部１３と外ケース部１４との間に介装するにあたっては、この補強リブ５の帯板状リブ材１８が当接する容器本体３の内容器１内面と外ケース２内面、及び蓋体１２の内蓋部１３内面及び外ケース部１４内面に夫々断熱シート２１を貼着する。このように断熱シート２１を貼着することにより、容器本体３の内容器１と外ケース２との間で帯板状リブ材１８を通じての熱の伝導を阻止し、また蓋体１２の内蓋部１３と外ケース部１４との間で帯板状リブ材１８を通じての熱の伝導を阻止し、密閉空間部４，１５の断熱性を維持することができる。
【００２１】
容器本体３の密閉空間部４及び蓋体１２の密閉空間部１５を真空引きする時は、吸引ホース接続バルブ９の本体９ａから閉栓９ｂを取り外して、真空ポンプの吸引ホースに取り付けてある真空引き治具（図示せず）を本体９ａに取り付け、真空ポンプによって所要圧力、例えば−２ＭＰａ（−２０kg / cm2Ｇ）程度まで真空引きした後、接続バルブ９の本体９ａに閉栓９ｂを取り付ければよい。この真空引きにあたって、容器本体３の密閉空間部４及び蓋体１２の密閉空間部１５には内容器１と外ケース２との間及び内蓋部１３と外ケース部１４との間に夫々補強リブ５が介装されているから、容器本体３及び蓋体１２が変形するようなことがなく、従って密閉空間部４，１５の真空度を十分に上げることができ、その断熱性能を大幅に向上させることができる。
【００２２】
上記のような構成よりなる液体貯蔵容器の使用に際しては、容器本体３の液体注入口７を閉栓し、液体取出口８のコックを閉めた状態で、容器本体３の内容器１に例えば熱湯を大口開口部６より投入して所要量貯め入れた後、蓋体１２を装着して大口開口部６を閉蓋する。
【００２３】
この液体貯蔵容器によれば、容器本体３を内容器１と外ケース２とからなる二重壁構造にして、その内容器１と外ケース２との間に密閉空間部４を形成すると共に、密閉空間部４に補強リブ５を介在させて、この密閉空間部４を真空状態としたものであるから、密閉空間部４の真空度を十分に高めることができて、容器本体３の断熱性能を大幅に向上でき、温水や冷水を長時間に亘り保温又は保冷することができると共に、比較的小型の家庭用貯蔵容器から業務用の大型貯蔵容器まで幅広い適用が可能となる。
【００２４】
また、容器本体３の大口開口部６を、内容器１の上壁部１ｂから一体に延出した１ｂｏと、外ケース２の上壁部２ｂから一体に延出した外筒部２ｂｏとからなる二重壁構造にすると共に、この大口開口部６を開閉する蓋体１２も容器本体３と同様に、内蓋部１３と外ケース部１４との二重壁構造にして、内蓋部１３と外ケース部１４との間に密閉空間部１５を形成し、この密閉空間部１５内に補強リブ５を介在させて、この密閉空間部１５を真空状態としているから、この蓋体１２で容器本体３の大口開口部６を閉蓋することにより、その閉蓋部分での断熱性能をアップして、保温又は保冷効果を一層高めることができる。
【００２５】
また、容器本体３に設けられる大口開口部６の外筒部２ｂｏがテーパ状に形成されると共に、蓋体１２の内蓋部１３には大口開口部６の外筒部２ｂｏのテーパに対応するテーパ嵌合部１６が形成されているから、閉蓋時に蓋体１２を大口開口部６に密着嵌合させて、保温又は保冷効果を尚一層高めることができる。
【００２６】
また、この液体貯蔵容器では、容器本体３の密閉空間部４及び蓋体１２の密閉空間部１５に介在される補強リブ５は、夫々帯板状に形成した多数のリブ材１８を縦横に格子組みしたものからなるが、これに限るものではなく、これ以外の構成でもよい。しかし、この実施形態のように帯板状に形成した多数のリブ材１８を縦横に格子組みした構成を採用すれば、比較的薄い板材でも補強リブ５の剛性を十分高めることができて、頑強な補強リブ５を形成できる。この帯板状リブ材１８には、金属板やプラスチック板の他に、厚紙等も使用することができる。
【００２７】
また、各帯板状リブ材１８は、片側縁部に、縦横の帯板状リブ材１８ａ，１８ｂが互いに交差するように係合するための切欠スリット１９をリブ材１８の長手方向に一定ピッチで且つリブ材１８の幅方向に所要長さ切り込み形成すると共に、このリブ材１８の両側縁部には夫々連通用凹欠部２０を、リブ材１８の長手方向に隣合う切欠スリット１９，１９の中間位置に対応する位置に形成したものからなるため、同じ帯板状リブ材１８を、その上下を逆向きにするだけで縦横のリブ材１８ａ，１８ｂとして使用できて、リブ材の製作コストを安くできると共に組み立てが簡単となり、また縦横の帯板状リブ材１８ａ，１８ｂによって区画形成された各小空間部を、連通用凹欠部２０により互いに連通させることができ、真空ポンプによる密閉空間部４，１５の真空引きを有効に行うことができる。
【００２８】
【発明の効果】
請求項１に係る発明によれば、容器本体を内容器と外ケースとからなる二重壁構造にして、その内容器と外ケースとの間に密閉空間部を形成すると共に、密閉空間部に補強リブを介在させて、この密閉空間部を真空状態としたものであるから、密閉空間部を真空引きする際に容器本体が変形するようなことがなく、従って密閉空間部の真空度を十分に高めることができて、容器本体の断熱性能を大幅にアップし、温水や冷水を長時間に亘り保温又は保冷することができると共に、比較的小型の家庭用貯蔵容器から業務用の大型貯蔵容器まで幅広い適用が可能となる。また、補強リブは、夫々帯板状に形成した多数のリブ材を縦横に格子組みしたものからなるため、比較的薄い板材でも補強リブの剛性を十分高めることができて、頑強な補強リブを形成できる。更に、帯板状リブ材は金属板によって形成されたもので、この帯板状リブ材が当接する内容器又は内蓋部の内面及び外ケース又は外ケース部の内面に夫々断熱シートを貼着してなるため、容器本体の内容器と外ケースとの間で帯板状リブ材を通じての熱の伝導を阻止し、また蓋体の内蓋部と外ケース部との間で帯板状リブ材を通じての熱の伝導を阻止し、密閉空間部の断熱性を維持することができる。
【００２９】
請求項２に係る発明によれば、容器本体の上部に、内容器の上壁部から延出した内筒部と、外ケースの上壁部から延出した外筒部とからなる二重壁構造の大口開口部を形成し、この大口開口部を開閉する蓋体を内蓋部と外ケース部との二重壁構造にして、内蓋部と外ケース部との間に密閉空間部を形成し、この密閉空間部内に補強リブを介在させて、この密閉空間部を真空状態としているから、蓋体で容器本体の大口開口部を閉蓋することにより、その閉蓋部分での断熱性能をアップして、保温又は保冷効果を一層高めることができる。
【００３０】
請求項３に係る発明によれば、大口開口部の外筒部をテーパ状に形成すると共に、前記蓋体の内蓋部には大口開口部の外筒部のテーパに対応するテーパ嵌合部を形成しているから、閉蓋時に蓋体を大口開口部に密着嵌合させて、保温又は保冷効果を尚一層高めることができる。
【００３２】
請求項４に係る発明によれば、各帯板状リブ材は、その片側縁部に、縦横の帯板状リブ材が互いに交差するように係合するための切欠スリットをリブ材長手方向に一定ピッチで切り込み形成すると共に、その両側縁部に、夫々連通用凹欠部をリブ材長手方向一定間隔おきに形成したものからなるため、同じ帯板状リブ材を、その上下を逆向きにするだけで縦横のリブ材として使用できて、リブ材の製作コストを安くできると共に組み立てが簡単となり、また縦横の帯板状リブ材によって区画形成された各小空間部を、連通用凹欠部により互いに連通させることができ、真空ポンプによる密閉空間部の真空引きを有効に行うことができる。
【図面の簡単な説明】
【図１】  本発明に係る液体貯蔵容器の外観斜視図である。
【図２】  容器本体の縦断面図である。
【図３】  容器本体の平面図である。
【図４】  容器本体に蓋体を装着した状態の部分縦断面図である。
【図５】  （Ａ）は縦の帯板状リブ材と横の帯板状リブ材を示す斜視図であり、（Ｂ）は縦横の帯板状リブ材を組み付けた状態を示す斜視図である。
【符号の説明】
１        内容器
２        外ケース
３        容器本体
４        密閉空間部
５        補強リブ
６        大口開口部
１２      蓋体
１３      内蓋部
１４      外ケース部
１５      密閉空間部
１６      テーパ嵌合部
１８      リブ材
１９      切欠スリット
２０      連通用凹欠部
【図１】
0003696840.tif 000002
【図２】
0003696840.tif 000003
【図３】
0003696840.tif 000004
【図４】
0003696840.tif 000005
【図５】
0003696840.tif 000006